(57)【要約】【課題】インバータトランスから複数の蛍光管に出力される高圧信号配線が他の高圧配線と接触することを確実に防止することによって、設計者の予測できない放電現象等による品質低下を抑制する。【解決手段】インバータ回路２８は、第１基板２８ａと第２基板２８ｂの少なくとも２つの基板で構成される。第１基板２８ａは、複数の蛍光管を駆動するための昇圧回路２８２と、昇圧回路２８２から出力される高圧信号を分岐させるために前記複数の蛍光管の本数分並べて配置された配線パターン２８８とを設ける。第２基板２８ｂは、第１基板２８ａ上に配置された配線パターン２８８のうち、両端の配線パターン間を接続するための延長配線パターン２９０の少なくとも一部を設け、第１基板２８ａの実装面２８９に対して略垂直に配置される。第２基板２８ｂは、延長配線パターン２９０を第２基板２８ｂの一辺に対して一定以上の間隔Ｌをあけて設けている。【選択図】図４
2007005006.tif 000002
【特許請求の範囲】
【請求項１】
順次並べて配置された複数の蛍光管を駆動するためのインバータ回路において、該インバータ回路は、第１基板と第２基板の少なくとも２つの基板で構成され、前記第１基板は、前記複数の蛍光管を駆動するための昇圧回路と、該昇圧回路から出力される高圧信号を分岐させるために前記複数の蛍光管の本数分並べて配置された配線パターンとを設け、前記第２基板は、前記第１基板上に並べて配置された配線パターンのうち、一つの配線パターンから他の配線パターンに向けて延長された延長配線パターンの少なくとも一部を設けていることを特徴とするインバータ回路。
【請求項２】
請求項１に記載のインバータ回路において、前記第２基板上の延長配線パターンは、前記第１基板上に並べて配置された配線パターンのうち、両端の配線パターン間を接続していることを特徴とするインバータ回路。
【請求項３】
請求項１又は２に記載のインバータ回路において、前記第１基板は、前記配線パターンが配置された第１領域と、該第１領域に隣接する第２領域とからなる実装面を備え、前記第２基板は、前記第２領域に配置され、前記延長配線パターンを前記第２基板の一辺に対して一定以上の間隔をあけて設けていることを特徴とするインバータ回路。
【請求項４】
請求項３に記載のインバータ回路において、前記第２基板は、前記第１基板の実装面に対して略垂直に配置されていることを特徴とするインバータ回路。
【請求項５】
請求項１乃至４のいずれか１に記載のインバータ回路において、前記第２基板は、前記第１基板の実装面全体の領域内に収まるように配置されていることを特徴とするインバータ回路。
【請求項６】
請求項１乃至５のいずれか１に記載のインバータ回路と、該インバータ回路に接続された複数の蛍光管とを有するバックライトユニットにおいて、前記複数の蛍光管は、並列に接続されていることを特徴とするバックライトユニット。
【請求項７】
請求項６に記載のバックライトユニットと、該バックライトユニットによって照明される液晶パネルとを有する液晶表示装置において、前記インバータ回路は、前記液晶パネルの背面側に配置され、且つ、前記実装面が前記液晶パネルの背面と略平行になるように配置されていることを特徴とする液晶表示装置。
【発明の詳細な説明】
【技術分野】
【０００１】
本発明は、複数の蛍光管を駆動させるためのインバータ回路、該インバータ回路と複数の蛍光管とを有するバックライトユニット、及び該バックライトユニットを使用した液晶表示装置に関する。
【背景技術】
【０００２】
液晶表示装置に使用されるバックライトユニットにおいて、並列接続された複数の蛍光管に対して、例えば、１つのトランスで適切な電力を供給しようとした場合、トランスには、高周波数（数十ｋＨｚ程度）でかつ数千ｋＶ程度の高圧の交流電圧を出力することが要求され、その出力電流としては、接続された蛍光管の本数にほぼ比例した電流値を流すことが要求される。このような要求に対して、例えば、特許文献１には、複数の蛍光管を並列接続した蛍光管ユニットを１つのトランスで駆動するバックライトアセンブリが開示されている。
【０００３】
図７は、特許文献１に開示されている従来のバックライトアセンブリのランプ駆動装置の構成を示す回路図で、ランプ駆動装置は、パワートランジスタＱ１１、ダイオードＤ１１、インバータ１２０、デジタル−アナログ変換器（ＤＡＣ）１３０、パルス幅変調制御部（ＰＷＭ制御部）１４０、ＭＯＳＦＥＴ駆動部１５０を有し、外部から提供される直流電力を交流電力に変換して、並列に接続された管外電極蛍光ランプ１１０に提供するように構成されている。
【０００４】
まず、ＤＡＣ１３０は、外部から提供されるディミング信号（ＤＩＭＭ信号）をアナログ信号に変換し、アナログ信号に変換されたＤＩＭＭ信号１３１をＰＷＭ制御部１４０に出力する。このＤＩＭＭ信号とは、ランプの明るさを調節するためにユーザ操作等により入力される信号で、デュティ比を示すデジタル信号である。ＰＷＭ制御部１４０は、オン／オフコントローラ１４１を有し、外部から提供されるオン／オフ信号（ＯＮ／ＯＦＦ信号）により起動／停止され、ＤＩＭＭ信号１３１に応答して、各蛍光ランプに供給する交流電力のレベルを調整するためのスイッチング信号１４２をＭＯＳＦＥＴ駆動部１５０に提供する。
【０００５】
ＭＯＳＦＥＴ駆動部１５０は、ＰＷＭ制御部１４０から提供されるスイッチング信号１４２を増幅し、増幅されたレベル調整信号１５１をパワートランジスタＱ１１に提供する。一般にＰＷＭ制御部１４０から提供されるスイッチング信号１４２は低レベルの信号であるため、ＭＯＳＦＥＴ駆動部１５０を設けて、低レベル信号を増幅してパワートランジスタＱ１１に入力するようにしている。パワートランジスタＱ１１は、レベル調整信号１５１に応答して、入力される直流電圧（Ｖｉｎ）の出力を制御する。
【０００６】
インバータ１２０は、インダクタＬ、変圧器（トランス）１２２、共振キャパシタＣ１１、抵抗Ｒ１１，Ｒ１２、トランジスタＱ１２，Ｑ１３から構成され、一端がパワートランジスタＱ１１のドレイン端に接続され、パワートランジスタＱ１１から出力されるパルス電力を交流電力に変換し、変換した交流電力を管外電極蛍光ランプ１１０それぞれに提供する。トランス１２２は、１次側を構成する１次巻線Ｔ１１，Ｔ１２と、２次側を構成する２次巻線Ｔ１３を有する。インダクタＬを介して１次巻線Ｔ１１に入力された交流電力は、電磁誘導作用により、２次巻線Ｔ１３に伝達され高電圧変換され、変換された高電圧は管外電極蛍光ランプ１１０に印加される。
【特許文献１】特開２００４−３１３３８号公報
【発明の開示】
【発明が解決しようとする課題】
【０００７】
上記特許文献１に記載の発明のように、１つのトランスによって複数本の並列接続された蛍光管ユニットを駆動する方式においては、インバータ回路で発生した高圧交流信号を蛍光管の電極に接続するために、リード線を用いた実装方法が一般に行われている。この際、仕様によっては、例えば、互いの蛍光管に流れる管電流を平均化若しくは安定化させるために、上記リード線を介してインバータ回路と蛍光管の電極とを接続するような工夫を高圧配線パターン上で行なう必要がある。
【０００８】
上記のように、１つのトランスによって複数本の並列接続された蛍光管ユニットを駆動する方式では、インバータ回路の安全管理上から高圧配線パターンの面積をできるだけ少なくしたいという問題を招来する。また、この高圧配線パターン上で各種回路を配置して蛍光管の位相調整するような手段を講じる場合、蛍光管を含めたバックライトの配置条件によっては高圧配線パターンを延長する必要も生じる。これらの構成と上述のインバータ回路と蛍光管を接続するリード線との接触は極力防がなければならないが、互いに接触する配線が柔軟性のあるリード線のみで構成されると、設計者の予測できないようなリード線同士の接触が起こりうる。
【０００９】
本発明は、上述のごとき実情に鑑みてなされたものであり、インバータトランスから複数の蛍光管に出力される高圧信号配線が他の高圧配線と接触することを確実に防止することによって、設計者の予測できない放電現象等による品質低下を抑制できるようにしたインバータ回路、該インバータ回路を備えたバックライトユニット、及び液晶表示装置を提供すること、
また、液晶パネルを含めたバックライトユニットの背面を占有するインバータ回路基板の面積を増やすことなく、高圧信号配線を設置可能とすること、を目的とする。
【課題を解決するための手段】
【００１０】
上記課題を解決するために、本発明の第１の技術手段は、順次並べて配置された複数の蛍光管を駆動するためのインバータ回路において、インバータ回路は、第１基板と第２基板の少なくとも２つの基板で構成され、第１基板は、複数の蛍光管を駆動するための昇圧回路と、昇圧回路から出力される高圧信号を分岐させるために複数の蛍光管の本数分並べて配置された配線パターンとを設け、第２基板は、第１基板上に並べて配置された配線パターンのうち、一つの配線パターンから他の配線パターンに向けて延長された延長配線パターンの少なくとも一部を設けていることを特徴としたものである。
【００１１】
第２の技術手段は、第１の技術手段において、第２基板上の延長配線パターンは、第１基板上に並べて配置された配線パターンのうち、両端の配線パターン間を接続していることを特徴としたものである。
【００１２】
第３の技術手段は、第１又は第２の技術手段において、第１基板は、配線パターンが配置された第１領域と、第１領域に隣接する第２領域とからなる実装面を備え、第２基板は、第２領域に配置され、延長配線パターンを第２基板の一辺に対して一定以上の間隔をあけて設けていることを特徴としたものである。
【００１３】
第４の技術手段は、第３の技術手段において、第２基板は、第１基板の実装面に対して略垂直に配置されていることを特徴としたものである。
【００１４】
第５の技術手段は、第１乃至第４のいずれか１の技術手段において、第２基板は、第１基板の実装面全体の領域内に収まるように配置されていることを特徴としたものである。
【００１５】
第６の技術手段は、第１乃至第５の技術手段のいずれか１におけるインバータ回路と、インバータ回路に接続された複数の蛍光管とを有するバックライトユニットにおいて、複数の蛍光管は、並列に接続されていることを特徴としたものである。
【００１６】
第７の技術手段は、第６の技術手段におけるバックライトユニットと、バックライトユニットによって照明される液晶パネルとを有する液晶表示装置において、インバータ回路は、液晶パネルの背面側に配置され、且つ、実装面が液晶パネルの背面と略平行になるように配置されていることを特徴としたものである。
【発明の効果】
【００１７】
本発明によれば、インバータトランスから複数の蛍光管に出力される高圧信号配線が他の高圧配線と接触することを確実に防止することができるため、設計者の予測できない放電現象等による品質低下を抑制することができる。
また、液晶パネルを含めたバックライトユニットの背面を占有するインバータ回路基板の面積を増やすことなく、高圧信号配線を設置することができる。
【発明を実施するための最良の形態】
【００１８】
図１は、本発明によるバックライトユニットを用いた液晶表示モジュールの断面図で、液晶表示モジュールは、主な構成として、液晶パネル１及びバックライトユニット２を備えている。液晶パネル１は、映像信号処理された映像情報を液晶パネル１のクロック信号に応じて画素毎に所定の階調電圧として給電し、画面上に順次走査による画像表示処理を施すことで所定の映像情報を表示する。また、バックライトユニット２は、液晶パネル１の表示面の反対側から光を照射する。このバックライトユニット２の光源としては、例えば、冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）をはじめ、後述の図５、図６に示す外部（管外）電極蛍光ランプ（ＥＥＦＬ：Ｅｘｔｅｒｎａｌ  Ｅｌｅｃｔｒｏｄｅ  Ｆｌｕｏｒｅｓｃｅｎｔ  Ｌａｍｐ）などの蛍光管が用いられる。本発明のバックライトユニット２は、複数の蛍光管を並列接続した蛍光管ユニットを１つのトランスで駆動するように構成されている。
【００１９】
バックライトユニット２は、液晶パネル１に光を供給するための複数の蛍光管２１と、各蛍光管２１から発光した光を液晶パネル１側に有効に照射するための反射シート又は反射板（以下、反射シートで代表する）２２と、これらを収納するための筐体２３と、から構成されている。筐体２３の背面（すなわち、蛍光管２１の設置面の反対側の面）には、インバータ回路２８を搭載するための第１基板２８ａ及び第１基板２８ａの高圧配線用に設けられた第２基板２８ｂが配置される。この際、第１基板２８ａの実装面は液晶パネル１の背面と略平行になるように配置される。
【００２０】
インバータ回路２８には、各蛍光管２１に電力を供給する昇圧回路としてインバータトランスなどの各部品が設けられている。このインバータトランスとしては、例えば、２つのコイルの電磁誘導効果によって互いにのコイルの巻き数比に基づいて変圧する巻線型などがある。
【００２１】
インバータ回路２８としては、例えば、他励式インバータを適用することができる。一般に他励式インバータは、一次側に発振回路を設け、この発振回路の駆動周波数と同じ周波数の交流に変換するもので、この他励式インバータを上記のような巻線型のインバータトランスの駆動に利用することにより、巻線型でありながら、圧電型インバータを超える小型で高効率化されたインバータを実現することができる。
【００２２】
液晶パネル１は、液晶層を挟んだ２枚の直交ニコルの関係を有した偏光板付ガラス基板からなり、この液晶パネル１を厚み方向に対し２枚のフレーム３，４で固定保持する。これらフレーム３，４は、バックライトユニット２の全体を覆うように、略Ｌ字型に折れ曲がった構造を有している。
【００２３】
バックライトユニット２を構成する蛍光管２１は、直線形状のほかに、例えば、Ｕ字型又はコの字型の形状としてもよく、全ての蛍光管２１の直線部分が互いに略平行に配置される。また、反射シート２２の形状は、例えば、図１に示すように断面凹凸の形状としてもよく、また、凹凸のない平面状に構成してもよい。
【００２４】
さらに、液晶表示装置に必要とされる光学性能に応じて各種光学部材を設けるようにしてもよい。例えば、図１に示すように、複数本の蛍光管２１によって構成される光源に対して、蛍光管２１の配置位置とそれ以外の位置との輝度差を緩和するための拡散板２４、要求される使用形態に対して最適な配光特性を供給するための拡散シート２５、特定方向の光を集光するためのプリズムシート２６、特定方向の光の偏波を選択的に透過／反射して液晶パネル１に入射する光の偏光度を向上させるための反射偏光板２７などで構成される。これらの各種光学部材（拡散板２４，拡散シート２５，プリズムシート２６，反射偏光板２７など）は板状又はシート状で構成されており、蛍光管２１と液晶パネル１との間に配置されている。
【００２５】
蛍光管２１は、バックライトユニット２の背面に略平行に配置されたインバータ回路２８から電極へ供給される高圧交流電圧によって、蛍光管２１内の水銀を励起し、そのエネルギー準位によって紫外線付近の光を発光し、この紫外光によって蛍光管２１の赤，青，緑の３色の蛍光体が発光し、これらの発光色の混色によって白色光を供給する。こうして発光した白色光は、前述の各種光学部材によってその配光特性が各々制御され、液晶パネル１に有効に光を供給することが可能となる。このバックライトユニット２からの光供給によって液晶パネル１の各画素では所定の階調電圧に応じた光透過率によって各画素の明るさが制御されるので映像情報を画面上に表示することが可能となる。
【００２６】
図２は、本発明によるインバータ回路２８の構成例を示すブロック図で、インバータ回路２８は、インバータ回路２８に入力された直流電力を交流電力に電力変換するためのスイッチング回路２８１と、スイッチング回路２８１から供給される交流電力により蛍光管２１それぞれを駆動するための交流電圧信号を出力する昇圧回路２８２と、昇圧回路２８２から出力され各蛍光管２１に供給された各交流電圧信号の互いの位相を調整するための位相調整回路２８３と、蛍光管２１の破損や断線などを検出するランプ保護回路２８４と、インバータ回路２８を制御するマイコン２８５と、スイッチング回路２８１で電力変換を行うために１対の第１制御信号（以下、ＤＲＶ１，ＤＲＶ２）を発振するパルス発振回路２８６と、１対のＤＲＶ１，ＤＲＶ２のそれぞれに対応して所定の増幅率で電力増幅した第２制御信号（以下、ＡＭＰ１，ＡＭＰ２）を発生するパルス増幅回路２８７と、を備えている。
【００２７】
複数の蛍光管２１は並列接続され、各蛍光管２１の一端が昇圧回路２８２と位相調整回路２８３を介して接続され、他端がグランドされる。スイッチング回路２８１は、パルス増幅回路２８７により電力増幅されたＡＭＰ１，ＡＭＰ２に従って、昇圧回路２８２に供給する交流電力を制御する。なお、蛍光管２１の本数は４本に限らず、液晶表示装置の画面サイズ等に応じて適宜決めるようにすればよい。
【００２８】
位相調整回路２８３は、昇圧回路２８２から出力され各蛍光管２１に供給された各交流電圧信号に対して、互いの位相を調整して全体として略同位相になるように構成されている。電力の実効値に関して、位相差がゼロのとき実部方向に１の大きさの電力とすると、位相差が発生すると実効電力は小さくなり、位相差９０°のときに瞬間的に実効電力はゼロとなる。この位相差が生じる理由は、電力の波の伝わり形は部品（素子）によって異なるという特性を持っているためである。例えば、同じ時間に発した波形の山を、コイルと抵抗に同時に入力した場合、出力ではコイルの位相が遅れる。逆に、コンデンサと抵抗に入力した場合、コンデンサの位相が進む特性を持つ。実際の回路では、コイルとコンデンサ双方の影響が存在し、出力の波形はこのような位相の進み、遅れを全て重ね合わせたものとなる。本実施形態では、位相調整回路２８３により、各蛍光管２１の交流電圧信号に対して、実効電力を低下させる原因である位相差を小さくする、すなわち各交流電圧信号が略同位相になるようにしている。
【００２９】
図３は、図２に示したインバータ回路２８の主要部構成例を示す図である。インバータ回路２８は、第１基板２８ａ及び第１基板２８ａの高圧配線用に設けられた第２基板２８ｂの少なくとも２つの基板で構成される。第１基板２８ａに設けられた各位相調整回路２８３は、位相調整用トランス２８３ａ、バラストコンデンサ２８３ｂを備え、高圧リード線２９を介してそれぞれの蛍光管２１と接続される。また、隣り合う位相調整回路２８３間でそれぞれの蛍光管２１の位相が調整され、全体として蛍光管２１の交流電圧信号が略同位相になるように調整される。
【００３０】
従来、両端に配置された蛍光管同士の交流高圧信号を位相調整するために、両端の位相調整回路から配線を延長させて高圧配線しようとすると、基板上で高圧配線をまたがせなくてはならないため、リード線同士の接触が起こりやすく、好ましくなかった。そこで、本発明では、両端の配線パターン２８８を延長させた延長配線パターン２９０が他の高圧配線（高圧リード線２９など）と接触して放電しないように、延長配線パターン２９０の一部を第２基板２８ｂ上に設けている。
【００３１】
図３において、第１基板２８ａは、複数の蛍光管２１を駆動するための昇圧回路２８２と、昇圧回路２８２から出力される高圧信号を分岐させるために複数の蛍光管２１の本数分並べて配置された配線パターン２８８とを設け、第２基板２８ｂは、第１基板２８ａ上に配置された配線パターン２８８のうち、一つの配線パターンから他の配線パターンに向けて延長された延長配線パターン２９０の少なくとも一部を設けている。延長配線パターン２９０は、第２基板２８ｂの一辺から一定以上の間隔Ｌ（高圧信号の放電を防止するために十分な距離）をもって第２基板２８ｂ上に設けられ、この第２基板２８ｂは、第１基板２８ａ上に配置される。なお、上記間隔Ｌは、高圧信号の放電を防止するために必要な安全距離であって、設計上の基準として、例えば、１ｋＷあたり１ｍｍ程度とすることが好ましい。
【００３２】
また、第１基板２８ａ及び第２基板２８ｂの材質としては、互いの配線パターンが接触することがないように、ある程度の硬さをもったエポキシ樹脂などで構成されていることが好ましい。
【００３３】
図４は、図３に示したインバータ回路２８が設けられた基板構成の一例を示す斜視図で、インバータ回路２８は、第１基板２８ａ及び第２基板２８ｂで構成されている。第１基板２８ａ上の実装面２８９における片方の領域（図中、左側の領域）には、インバータトランスである昇圧回路２８２、各位相調整回路２８３が備える各位相調整用トランス２８３ａ、及び昇圧回路２８２と各位相調整用トランス２８３ａを接続するために並べて配置された配線パターン２８８が設けられている。また、実装面２８９のもう片方の領域（図中、右側の領域）には、第２基板２８ｂが実装面２８９に対して略垂直に配置されている。ここでは第２基板を略垂直に配置した例を示したが、インバータ回路基板の面積を増やすことなく高圧配線を配置するために、第２基板が第１基板の実装面全体の領域内に収まるように配置されていればよく、上記配置例に限定されない。
【００３４】
また、前述の図３において説明したように、第２基板２８ｂには、延長配線パターン２９０が第２基板２８ｂの一辺に対して一定以上の間隔Ｌをあけて設けられている。この延長配線パターン２９０によって、両端に配置された位相調整用トランス２８３ａ同士が接続される。これにより、両端の位相調整回路から配線パターン２８８を延長させたときに、この配線パターン２８８が他の高圧配線と接触することなく高圧配線することができ、両端に配置された図示しない蛍光管同士の交流高圧信号を位相調整することが可能となる。なお、蛍光管に接続するためのソケットは、図中、第２基板２８ｂから見て右側（昇圧回路２８２が設置されている側の反対側）に、蛍光管の本数分設けられているものとする。
【００３５】
また、図４に示すように、第２基板２８ｂを第１基板２８ａの実装面２８９に対して略垂直に配置することにより、液晶パネルを含めたバックライトユニットの背面を占有するインバータ回路基板の面積を増やすことなく、高圧信号配線を設置することができる。
【００３６】
ここで、近年の液晶パネルサイズの大型化に伴って、液晶表示装置の高輝度と高効率を保障すると共に、長寿命と軽量化を図ることができるバックライトユニットを実現するために、無電極ガラス管に外部電極を形成した外部電極蛍光ランプ（ＥＥＦＬ）が提案されている。このＥＥＦＬを本発明の蛍光管２１に適用してもよい。
【００３７】
図５は、一般の外部電極蛍光ランプ（ＥＥＦＬ）の一例であるベルト形外部電極蛍光ランプを示す外観図で、図中、３１はベルト形外部電極蛍光ランプで、該ベルト形外部電極蛍光ランプ３１は、ガラス管３１１の両端部に電極３１２，３１２′を設け、中間部に電極３１３，３１３′を設けている。両端部の電極３１２，３１２′は数ＭＨｚ以上の高周波で駆動される。また、中間部の電極３１３，３１３′は、特に、高周波駆動でガラス管３１１の長さが長い場合に設けることができる。
【００３８】
また、図６は、一般の外部電極蛍光ランプ（ＥＥＦＬ）の他の例である金属カプセル形外部電極蛍光ランプを示す外観図で、図中、３２は金属カプセル形外部電極蛍光ランプで、該金属カプセル形外部電極蛍光ランプ３２は、ガラス管３２１の両端部に金属カプセル３２２，３２２′を設けている。このような金属カプセル形外部電極蛍光ランプ３２は、特に、ガラス管３２１の径が大きい場合に用いられる。
【００３９】
このように、本発明によれば、インバータトランスから複数の蛍光管に出力される高圧信号配線が他の高圧配線と接触することを確実に防止することができるため、設計者の予測できない放電現象等による品質低下を抑制することができる。また、液晶パネルを含めたバックライトユニットの背面を占有するインバータ回路基板の面積を増やすことなく、高圧信号配線を設置することができる。
【図面の簡単な説明】
【００４０】
【図１】本発明によるバックライトユニットを用いた液晶表示モジュールの断面図である。
【図２】本発明によるインバータ回路の構成例を示すブロック図である。
【図３】図２に示したインバータ回路の主要部構成例を示す図である。
【図４】図３に示したインバータ回路が設けられた基板構成の一例を示す斜視図である。
【図５】一般の外部電極蛍光ランプ（ＥＥＦＬ）の一例であるベルト形外部電極蛍光ランプを示す外観図である。
【図６】一般の外部電極蛍光ランプ（ＥＥＦＬ）の他の例である金属カプセル形外部電極蛍光ランプを示す外観図である。
【図７】特許文献１に開示されている従来のバックライトアセンブリのランプ駆動装置の構成を示す回路図である。
【符号の説明】
【００４１】
１…液晶パネル、２…バックライトユニット、３，４…フレーム、２１…蛍光管、２２…反射シート、２３…筐体、２４…拡散板、２５…拡散シート、２６…プリズムシート、２７…反射偏光板、２８…インバータ回路、２８ａ…第１基板、２８ｂ…第２基板、２９…高圧リード線、３１…ベルト形外部電極蛍光ランプ、３２…金属カプセル形外部電極蛍光ランプ、１１０…管外電極蛍光ランプ、１２０…インバータ、１３０…デジタル−アナログ変換器（ＤＡＣ）、１４０…パルス幅変調制御部（ＰＷＭ制御部）、１４１…オン／オフコントローラ、１５０…ＭＯＳＦＥＴ駆動部、２８１…スイッチング回路、２８２…昇圧回路、２８３…位相調整回路、２８３ａ…位相調整用トランス、２８３ｂ…バラストコンデンサ、２８４…ランプ保護回路、２８５…マイコン、２８６…パルス発振回路、２８７…パルス増幅回路、２８８…配線パターン、２８９…実装面、２９０…延長配線パターン、３１１，３２１…ガラス管、３１２，３１２′，３１３，３１３′…電極、３２２，３２２′…金属カプセル。
【図１】
2007005006.tif 000003
【図２】
2007005006.tif 000004
【図３】
2007005006.tif 000005
【図４】
2007005006.tif 000006
【図５】
2007005006.tif 000007
【図６】
2007005006.tif 000008
【図７】
2007005006.tif 000009